(57)【特許請求の範囲】
【請求項１】
単一指向性又は双指向性が要求されるマイクロフォンを機器ケース内に取り付ける構造であって、前記マイクロフォンのマイクケース外周面をスポンジ材料からなるマイクホルダで包囲し、前記マイクホルダを介して、前記マイクロフォンを前記機器ケース内に取り付けており、前記マイクホルダの外周面と前記機器ケースとの間に、少なくとも前記マイクホルダの一方の端部から他方の端部に至る空間を形成したことを特徴とするマイクロフォンの取付構造。
【請求項２】
前記マイクホルダを、導電性を有するスポンジ材料から形成した請求項１記載のマイクロフォンの取付構造。
【請求項３】
前記マイクケースは、導電性材料から形成され且つ接地されている請求項２記載のマイクロフォンの取付構造。
【請求項４】
前記マイクホルダの前記マイクロフォン厚み方向の寸法を、前記マイクロフォンの厚み方向の寸法よりも大きくし、前記マイクロフォンの背面を、前記マイクホルダの前記マイクロフォン背面側端部よりも内側に位置するようにした請求項２又は請求項３記載のマイクロフォンの取付構造。
【請求項５】
前記マイクロフォンの正面を覆うように、フェルト材料からなる風防シートを配設するとともに、前記風防シートが、前記マイクロフォンの正面側のマイクケース周縁部と前記機器ケースとの間に挟み込まれるようにした請求項１乃至請求項４のいずれかに記載のマイクロフォンの取付構造。
【請求項６】
前記マイクロフォンは、エレクトレットコンデンサマイクロフォンである請求項１乃至請求項５のいずれかに記載のマイクロフォンの取付構造。
【請求項７】
マイクロフォンを内蔵した電子機器において、請求項１乃至請求項６のいずれかに記載のマイクロフォンの取付構造を適用したことを特徴とする電子機器。
【発明の詳細な説明】
【０００１】
【発明の属する技術分野】
この発明は、マイクロフォンの取付構造及び電子機器並びにマイクホルダに関し、特に、単一指向性又は双指向性が要求されるマイクロフォンを、その要求が高精度に達成されるように機器ケース内に取り付けられるようにしたものである。
【０００２】
【従来の技術】
マイクロフォンを機器ケース内に取り付ける際には、そのマイクロフォンに要求される特性が、単一指向性・双指向性・無指向性のいずれの場合であっても、マイクロフォンをゴム製のマイクホルダに収容し、そのマイクホルダを機器ケース内に固定する、というのが一般的であった。
【０００３】
例えば、エレクトレットコンデンサマイクロフォンであれば、アルミニウム等の金属から形成されたマイクケース内に振動板やバックプレート等が収容されているが、そのようなマイクロフォンを、機器ケース内に直接固定してしまうと、機器ケースに生じた振動等が殆ど減衰されずにマイクロフォンに伝達され、周囲雑音による誤認識の可能性が高くなってしまう。そこで、マイクロフォンをゴム製のマイクホルダに収容し、機器ケースとはそのマイクホルダが接触し、マイクロフォンと機器ケースとは直接的には接しないようにするという対策が講じられていた。
【０００４】
その他、この種の従来の技術としては、例えば特開平５−２０７５８５号公報に開示されたものがある。即ち、かかる公報に開示された従来技術にあっては、単一指向性若しくは双指向性が要求されるマイクロフォンを、その正面側の音孔がマイクロフォンの音軸方向に対して垂直方向になるように音導を構成したマイクホルダに装着する、或いは、その背面側の背孔がマイクロフォンの音軸方向に対して垂直方向になるように音導を形成したマイクホルダに装着し、そして、そのマイクホルダを機器ケース内に組み込むようにしており、これにより、指向性パターンの方向をマイクホルダの音導方向に近い状態にすることが可能になる、というものであった。
【０００５】
【発明が解決しようとする課題】
マイクロフォンを収容するマイクホルダとしては種々のものが提案されているが、従来のマイクホルダは、上記のように、ゴム等のように音の透過性が悪い材料から形成されるのが一般的であった。このため、単一指向性や双指向性を良好に達成するためには、例えば上記公報に開示されるようにマイクホルダに音導を形成するようなことが必要になるが、これではマイクホルダの形状が複雑になり、その分、加工コストが嵩むという欠点がある。
【０００６】
また、上記のように音導を形成したマイクホルダを用いると、マイクホルダにマイクロフォンを収容し、それを機器ケース内に固定する際には、機器ケースに形成された音孔と、音導との位置関係を正確に合わせなければならないため、組立時の手間が面倒であり、その位置関係が不正確であると、指向性が低くなってしまうという問題点もある。
【０００７】
さらに、密に詰まったゴム状の材料であると、機器ケースからマイクホルダに伝達された振動を充分に減衰できない場合も多く、周囲雑音による誤認識の可能性を充分に低減できない。
【０００８】
本発明は、このような従来の技術が有する未解決の課題に着目してなされたものであって、単一指向性又は双指向性が要求されるマイクロフォンの機器ケース内への好適な取付構造及びその取付構造を適用した電子機器並びにそのようなマイクロフォンに好適なマイクホルダを提供することを目的としている。
【０００９】
【課題を解決するための手段】
上記目的を達成するために、請求項１に係る発明は、単一指向性又は双指向性が要求されるマイクロフォンを機器ケース内に取り付ける構造であって、前記マイクロフォンのマイクケース外周面をスポンジ材料からなるマイクホルダで包囲し、前記マイクホルダを介して、前記マイクロフォンを前記機器ケース内に取り付け、前記マイクホルダの外周面と前記機器ケースとの間に、少なくとも前記マイクホルダの一方の端部から他方の端部に至る空間を形成した。
【００１０】
また、請求項２に係る発明は、上記請求項１に係る発明であるマイクロフォンの取付構造において、前記マイクホルダを、導電性を有するスポンジ材料から形成した。
【００１１】
そして、請求項３に係る発明は、上記請求項２に係る発明であるマイクロフォンの取付構造において、前記マイクケースは、導電性材料から形成され且つ接地されているものである。
【００１２】
さらに、請求項４に係る発明は、上記請求項２又は３に係る発明であるマイクロフォンの取付構造において、前記マイクホルダの前記マイクロフォン厚み方向の寸法を、前記マイクロフォンの厚み方向の寸法よりも大きくし、前記マイクロフォンの背面を、前記マイクホルダの前記マイクロフォン背面側端部よりも内側に位置するようにした。
【００１３】
また、請求項５に係る発明は、上記請求項１〜４に係る発明であるマイクロフォンの取付構造において、前記マイクロフォンの正面を覆うように、フェルト材料からなる風防シートを配設するとともに、前記風防シートが、前記マイクロフォンの正面側のマイクケース周縁部と前記機器ケースとの間に挟み込まれるようにした。
【００１５】
さらに、請求項６に係る発明は、上記請求項１〜５に係る発明であるマイクロフォンの取付構造において、前記マイクロフォンを、エレクトレットコンデンサマイクロフォンとした。
【００１６】
そして、請求項７に係る発明は、マイクロフォンを内蔵した電子機器において、請求項１乃至請求項６のいずれかに記載のマイクロフォンの取付構造を適用した。
【００１９】
ここで、請求項１に係る発明にあっては、マイクホルダを形成するスポンジ材料は音の透過性が良好であるため、マイクロフォンの正面側に達した音の一部は、マイクホルダ内を通過して、マイクロフォンの背面側に達することができる。このため、単一指向性又は双指向性を達成する上で有利である。さらにマイクホルダの外側にも音の通り道が形成されるから、マイクロフォンの単一指向性又は双指向性を達成する上で有利になる。
【００２０】
また、請求項２に係る発明にあっては、マイクホルダを形成するスポンジ材料がさらに導電性を有しているから、そのマイクホルダを、マイクロフォンの電気的な出力信号に重畳されるノイズ対策のためのシールドとして利用することが可能になる。
【００２１】
特に、請求項３に係る発明のように、マイクケースが導電性材料（例えば、アルミニウム等の金属）から形成されており、そのマイクケースが電源線等を介して接地されていれば、マイクケースとマイクホルダとが導通することにより、マイクホルダ自体がアースとなって、シールドとして充分に機能できる。
【００２２】
さらに、請求項４に係る発明であれば、マイクホルダのマイクロフォン厚み方向背面側端部（以下、これを後端部と称し、後端部の逆側を先端部と称す。）よりも内側に、マイクロフォンの背面が入り込んでいるから、マイクロフォンの背面側から引き出される出力信号線のある程度の部分もマイクホルダに包囲されることになり、マイクホルダは、その出力信号線に対するシールドとしても機能する。
【００２３】
なお、マイクロフォン厚み方向とは、マイクロフォンの正面と背面との間を結ぶ方向のことであり、より具体的には、単一指向性や双指向性のパターンにおいて指向性の最も強い０°方向に沿った方向のことである。
【００２４】
また、請求項５に係る発明にあっては、風防シートによって、例えば人の息等が直接マイクロフォンの音孔内に入り込むようなことが防止されるし、また、その風防シートがマイクケースの周縁部と機器ケースとの間に挟み込まれているから、マイクロフォンは、マイクホルダ及び風防シートを介して機器ケース内に取り付けられていることになる。このため、機器ケースとマイクロフォンとの間の振動伝達率を、さらに低減することができる。
【００２６】
そして、これら請求項１〜５に係る発明は、請求項６に係る発明のように、エレクトレットコンデンサマイクロフォンの取付構造として極めて有益である。即ち、エレクトレットコンデンサマイクロフォンは、単一指向性や双指向性を実現する上で好適なマイクロフォンの一つであるが、そのマイクロフォンが組み込まれる機器の形状についての制約から、マイクロフォンの正面及び背面間の音の通り道の確保が困難な場合があり、エレクトレットコンデンサマイクロフォンの機能を充分に発揮できない場合も多々あったが、上記請求項１〜５に係る発明を採用することで、そのエレクトレットコンデンサマイクロフォンの性能を充分に発揮できるようになる。
【００２７】
さらに、請求項７に係る発明であれば、単一指向性又は双指向性をより高精度に達成した電子機器となる。
【００２９】
【発明の実施の形態】
以下、本発明の実施の形態を図面に基づいて説明する。
【００３０】
図１乃至図３は本発明の一実施の形態を示す図であって、この実施の形態は、本発明に係るマイクロフォンの取付構造及びマイクホルダを、認識した音声の種類に応じて挨拶や時刻等を返答するようになっている音声認識玩具１に適用したものである。
【００３１】
先ず、構成を説明すると、この音声認識玩具１は、その全体正面図である図１（ａ）及び側面図である図１（ｂ）に示すように、人形の上半身の外観を有しており、人形の顔に似せて形成された中央部１ａと、人形の胸部に似せて形成され前記中央部１ａを支える台形形状の台座部１ｂと、中央部１ａ上側に帽子に似せて形成された上側部１ｃと、を備えている。
【００３２】
より具体的には、この音声認識玩具１は、肉厚２．５ｍｍ程度のプラスチック製の表ケース１Ａと裏ケース１Ｂとを組み合わせることにより、上記中央部１ａ、台座部１ｂ及び上側部１ｃを形成するようになっていて、それら表ケース１Ａ及び裏ケース１Ｂの内部に形成される空間に、音声認識玩具１の機能実現に必要な電子機器等が収容されるようになっている。
【００３３】
即ち、上側部１ｃ内には、その音孔を音声認識玩具１の正面側（図１（ｂ）の左側）に向けてマイクロフォン１０が収容されるとともに、中央部１ａ内には、発声方向を音声認識玩具１の背面側（図１（ｂ）の右側）に向けてラウドスピーカ２０が収容されている。なお、その他の電子機器として、この音声認識玩具１内には、マイクロフォン１０から音声信号が供給され、所定のプログラムに従って音声検出及び又は認識処理を実行し、その検出及び又は認識した結果に応じた音声がラウドスピーカ２０から発せられるように駆動信号をそのラウドスピーカ２０に出力するようになっているコントローラ（図示せず）が収容されている。コントローラはマイクロコンピュータや必要なインタフェース回路等を含んで構成されているが、そのコントローラの構成及び機能や、ラウドスピーカ２０の取付構造等は本発明の本質部分ではないため、詳細な説明は省略する。
【００３４】
図２及び図３は、マイクロフォン１０の取付構造の詳細を示す図であって、図２（ａ）は、表ケース１Ａの上側部１ｃに当る部分であってマイクロフォン１０の音孔に対向する位置に形成された正面開口部２の拡大図、図２（ｂ）は、マイクロフォン１０の取付構造の詳細を示す断面図（図２（ａ）のＡ−Ａ線断面、図２（ｃ）のＢ−Ｂ線断面に相当）、図２（ｃ）は、裏ケース１Ｂの上側部分１ｃに当る部分であってマイクロフォン１０の背面に対向する位置に形成された背面開口部３の拡大図である。そして、図３は、マイクロフォン１０の取付構造を示す各部品の分解斜視図である。
【００３５】
ここで、本実施の形態では、単一指向性の一つのパターンであるハイパーカーディオイドをマイクロフォン１０で実現することを目指しており、マイクロフォン１０としては、エレクトレットコンデンサマイクロフォンを採用している。そして、ハイパーカーディオイドの最も指向性の強い方向に沿った軸をＯ軸とし、そのＯ軸を、図１（ａ）及び（ｂ）に示すように、音声認識玩具１の上側部１ｃの左右方向及び上下方向の中央部を、正面から背面に貫く位置に設定する。
【００３６】
表ケース１Ａの上側部１ｃに形成された正面開口部２は、図２（ａ）に示すように、Ｏ軸を中心に開口した中心孔２ａと、この中心孔２ａと同心の仮想円上に等間隔に位置するように開口した六つの周辺孔２ｂと、その仮想円よりも更に大径の同心の仮想円に沿って等間隔に且つ各周辺孔２ｂに対応した位置に開口した六つの円弧状スリット２ｃと、で構成されている。
【００３７】
これら中心孔２ａ、周辺孔２ｂ及び円弧状スリット２ｃは、基本的には、音声認識玩具１のデザインを損なわない範囲で、その開口面積が大きければ大きい程好ましい。一方、異物の侵入防止、指等からの静電気放電の防止のため、個々の開口面積は小さい程好ましい。従って、中心孔２ａや周辺孔２ｂの形状及び配置数は必要な感度（所望の指向性パターン）を確保するため、必要最小限の開口面積とすることが好ましい。本実施の形態では、中心孔２ａの直径は２．５ｍｍ程度、周辺孔２ｂの直径は２ｍｍ程度としてある。円弧状スリット２ｃは、デザイン的に許される範囲で形成することが好ましい。
【００３８】
そして、表ケース１Ａの内面側には、円弧状スリット２ｃに沿った仮想円よりもさらに大径の同心の仮想円に沿って、円筒状部４が一体に形成されていて、円筒状部４の内側付け根部分（表ケース１Ａに近い部分）には、その円筒状部４の中心に向かって延びるように、６枚のリブ部４ａが形成されている。各リブ部４ａは、図２（ａ）にも示されるように、各円弧状スリット２ｃの間を通り、周辺孔２ｂに挟まれた位置にまで延びていて、後述するマイクロフォン１０の正面側のマイクケース１０ａの周縁部の位置近傍にまで達するようになっている。また、各リブ部４ａの円筒状部４に近い部分の端部には、略正方形の凸部４ｂが形成されている。
【００３９】
一方、裏ケース１Ｂの内面側にも、Ｏ軸を中心とした円筒状部５が一体に形成されている。この円筒状部５は、円筒状部４の内径寸法よりも若干小さい外径寸法を有していて、表ケース１Ａ及び裏ケース１Ｂを組み合わせた際に、その円筒状部５の先端は、円筒状部４の先端の内側に入り込み、凸部４ｂに当接するようになっている。
【００４０】
円筒状部５の裏ケース１Ｂ側の端部は開口しているが、その軸方向中央部近傍の内周部には、仕切り板５ａが一体に形成されている。仕切り板５ａには、Ｏ軸を中心とした円を基本形状とし、その円の内周部の周方向に等間隔に離隔した三カ所に略半円状の凸部６ａを形成した中央孔６と、円筒状部５の内周面に沿って形成された四つの円弧状スリット７と、が開口している。
【００４１】
また、円筒状部５の仕切り板５ａよりも先端側の部分の最下部には、軸方向に長く内外部を連通させるスリット５ｂが形成されている。そして、仕切り板５ａの内面側であって、スリット５ｂを両側から挟み込む２個所と、そのスリット５ｂに対向する個所と、スリット５ｂから周方向に９０度ずれた２個所との、計５個所のそれぞれに、円筒状部５の先端部近傍にまで延びるリブ部５ｃが形成されている。より具体的には、各リブ部５ｃは、図２（ｃ）にも示すように、各円弧状スリット７同士の間に位置するようになっていて、且つ、円弧状スリット７の幅と同じ幅を有している。
【００４２】
さらに、仕切り板５ａの凸部６ａのそれぞれの内面側には、Ｏ軸に沿って延びる円柱部８が一体に形成されている。これら円柱部８の先端は、円筒状部５の先端よりも内側に位置するようになっていて、後述するように、表ケース１Ａ及び裏ケース１Ｂを組み合わせた際に、マイクロフォン１０のマイクケース背面に当接するようになっている。
【００４３】
また、各円柱部８の配設位置は、それら円柱部８が内側から接する外接円の径が、後述のマイクホルダ１１の内径と略同じになるように設定されており、これにより、各円柱部８がマイクホルダ１１の内側に入り込むことにより、そのマイクホルダ１１の位置決めがなされるようになっている。なお、円柱部８は指向性パターン確保のため、必要最小限の形状とすることが好ましい。
【００４４】
マイクロフォン１０は、アルミニウム等の金属から形成された円筒状のマイクケース１０ａ内に振動板やバックプレート等が収容されるとともに、その正面側を面布１０ｂで覆い、背面側から二本のリード線１０ｃが引き出された公知の構成を有している。この場合、両リード線１０ｃは、円筒状部５のスリット５ｂを介して、中央部１ａ側に引き出されている。なお、マイクケース１０ａは、リード線１０ｃの一方を介して接地されている。
【００４５】
そして、マイクロフォン１０のマイクケース１０ａの外周面は、マイクホルダ１１に包囲されている。このマイクホルダ１１は、導電性のスポンジ材料から形成された円筒状の部材であって、マイクロフォン１０の厚み方向寸法（Ｏ軸に沿った方向の厚さ）の３倍程度の長さを有していて、その一方の端面（先端面）とマイクロフォン１０の正面とが略同一面となるように、その一方の端部（先端部）内側にマイクロフォン１０を収容するようになっている。従って、マイクロフォン１０の背面は、マイクホルダ１１の後端部よりも内側に位置するようになっている。この場合、マイクロフォン１０の寸法にもよるが、一般的なエレクトレットコンデンサマイクロフォンを採用する場合、マイクロフォン１０の背面とマイクホルダ１１の後端部との間の距離は、少なくとも８ｍｍ程度とする。
【００４６】
マイクホルダ１１を形成する具体的な導電性スポンジは、特に限定されるものではないが、例えば、タイガースポリマ株式会社製の導電性ＳＲスポンジや、同社製の導電性ＣＲスポンジ等が適用可能である。導電性スポンジの具体的な物性としては、見掛け密度：０．４、硬さ：２０（アスカＣ）、引張強さ：１０（ｋｇｆ／ｃｍ）、延び：２１０（％）、引裂強さ：３（ｋｇｆ／ｃｍ）、体積固有抵抗：２×１０4 （Ω・ｃｍ）程度が望ましい。なお、これら各物性のうち、特に重要なのは、見掛け密度と体積固有抵抗である。
【００４７】
マイクホルダ１１の具体的な製造方法としては、上記のような導電性スポンジ材料をマイクホルダ１１の軸方向寸法と同じ厚さの板状に切り出し、その板状の導電性スポンジをウォータージェットでマイクホルダ１１の内径及び外径に沿って加工する、という方法が加工上及びコスト的にも有利である。なお、導電性スポンジを板状に切り出す際には、その表裏面に、音の透過性が良くないスキン（発泡材料の原料成形時に表面に形成される膜）が残らないようにすることが必要である。
【００４８】
そして、マイクロフォン１０は、上記のようなマイクホルダ１１に収容された状態で、この音声認識玩具１の表ケース１Ａ及び裏ケース１Ｂ内に取り付けられる。
【００４９】
即ち、マイクホルダ１１に収容されたマイクロフォン１０を、図２（ｂ）に示すように、マイクロフォン１０の背面側を仕切り板５ａ側に向けた状態で、マイクホルダ１１全体を円筒状部５のリブ部５ｃで囲まれた部分に収容する。
【００５０】
この際、三つの円柱部８は、マイクホルダ１１の後端部側からその内側に入り込ませ、その先端を、マイクロフォン１０のマイクケース１０ａの背面側周縁部に当接させる。また、リード線１０ｃは、マイクホルダ１１の後端部と仕切り板５ａとの間に挟ませつつ、スリット５ｂを通過させて円筒状部４及び５の外側に引き出す。リード線１０ｃをマイクホルダ１１と仕切り板５ａとの間に挟み込ませても、そのマイクホルダ１１がスポンジ状の材料からなるため、図２（ｂ）に示すように適当に歪むことにより対応できる。
【００５１】
さらに、リード線１０ｃを外部に引き出す構成であるため、マイクロフォン１０を収容した円筒状部４、５の内側と、ラウドスピーカ２０を収容した空間とが音響的に通じてしまう懸念がある。そこで、そのような音響的な通路を極力小さくするために、スリット５ｂは、リード線１０ｃの直径よりも若干大きい程度として、リード線１０ｃを通過させると隙間が殆ど形成されないようにするとともに、表ケース１Ａ及び裏ケース１Ｂを組み合わせた際に、円筒状部４の先端がリード線１０ｃの近傍にまで至るようにして、スリット５ｂの殆どの部分が円筒状部４で覆われるようにする。
【００５２】
そして、マイクホルダ１１の内側に円柱部８が入り込むと、マイクホルダ１１の内径寸法を、それら円柱部８が内側から接する内接円の径と同程度にしているから、そのマイクホルダ１１は、三本の円柱部８に保持されることになる。従って、マイクロフォン１０は、マイクホルダ１１を介して、裏ケース１Ｂに取り付けられていることになる。
【００５３】
このように、マイクホルダ１１に収容されたマイクロフォン１０を裏ケース１Ｂの円筒状部５内に取り付けたら、今度は、表ケース１Ａ及び裏ケース１Ｂを組み合わせるのであるが、その際、各凸部４ｂで囲まれた空間内にフェルト製の円形の風防シート１２を入れておく。従って、表ケース１Ａ及び裏ケース１Ｂを組み合わせると、図２（ｂ）に示すように、マイクロフォン１０及びマイクホルダ１１と、リブ部４ａとの間に、風防シート１２が挟み込まれることになる。
【００５４】
つまり、表ケース１Ａ及び裏ケース１Ｂを組み合わせると、マイクロフォン１０のマイクケース１０ａの背面側周縁部が円柱部８に押されるから、マイクロフォン１０が表ケース１Ａ側に押し付けられるが、リブ部４ａの内径は、マイクロフォン１０の正面側のマイクケース１０ａの周縁部に合わせているので、風防シート１２が、そのマイクケース１０ａの周縁部とリブ部４ａとの間に挟み込まれることになり、その結果、マイクケース１０ａの軸方向位置は、リブ部４ａと円柱部８とによって決められることになる。そして、リブ部４ａとマイクケース１０ａとの間には、上記のようにフェルト製の風防シート１２が挟み込まれれば、表ケース１Ａ及び裏ケース１Ｂを組み合わせても過大な軸方向荷重がマイクロフォン１０に直接加わることを防止できる。
【００５５】
風防シート１２をなすフェルトは、特に限定されるものではなく、音の透過性が良く、適度の弾性を有している一般的なフェルトでよい。
【００５６】
次に、本実施の形態の動作を説明する。
【００５７】
即ち、この音声認識玩具１の正面側から音声が入力されると、その音声は、正面開口部２を通じて表ケース１Ａ内に入り込み、風防シート１２を通過し、マイクロフォン１０の面布１０ｂに至る。さらに、音声は面布１０ｂをも通過し、マイクケース１０ａ内の振動板を振動させる。
【００５８】
一方、正面開口部２を通じて表ケース１Ａ内に入り込んだ音声の一部は、円筒状部４の内側のリブ部４ａ間に形成された空間１５にも入り込み、その空間１５から風防シート１２を通過する。そして、風防シート１２を通過した音声の一部は、円筒状部５の内側に形成された空間１６に至り、そこからマイクホルダ１１を通過してマイクロフォン１０の背面側に到達し、風防シート１２を通過した音声の他の一部は、直接マイクホルダ１１内に入り込み、そこからマイクロフォン１０の背面側に到達する。
【００５９】
なお、音声認識玩具１の正面側に至った音声の一部は、表ケース１Ａ及び裏ケース１Ｂの外側を回り込み、背面開口部３を通過して、マイクロフォン１０の背面側に到達する。
【００６０】
このように、音声認識玩具１の正面側に到達した音声は、マイクロフォン１０の正面側に入力されるとともに、種々の経路を通じてマイクロフォン１０の背面側にも入力されるため、良好な単一指向性のマイクロフォンとして機能することができるのである。
【００６１】
そして、本実施の形態にあっては、マイクロフォン１０を取り付ける際に利用するマイクホルダ１１を、スポンジ状の材料から形成しているため、表ケース１Ａ内に入り込んだ音声を、効率よくマイクロフォン１０の背面側に回り込ませることができ、単一指向性を達成する上で極めて有利な構成となっている。
【００６２】
しかも、マイクホルダ１１自体には、上記のようなウォータージェットで容易に加工することができ、例えば音の通り道等を後から形成する必要もないから、その製造コストも非常に安価で済む。
【００６３】
また、マイクホルダ１１の外周面と円筒状部５との間に、そのマイクホルダ１１の一方の端部から他方の端部に至る空間１６を形成しているから、表ケース１Ａ内に入り込んだ音声を、極めて効率よくマイクロフォン１０の背面側に回り込ませることができるようになっている。
【００６４】
さらに、マイクホルダ１１がスポンジ製であれば、表ケース１Ａや裏ケース１Ｂからマイクホルダ１１を通じてのマイクロフォン１０への振動伝達率を低減できるから、マイクホルダをゴム等から構成した従来の構成に比べて、マイクロフォン１０の振動等による誤作動の可能性を低減できるという利点もある。特に、本実施の形態では、マイクケース１０ａとリブ部４ａとの間にフェルト製の風防シート１２を挟み込むようにしているし、マイクケース１０ａの裏面側周縁部に接するのは、円柱部８の先端面という僅かな面積だけであるから、これによっても表ケース１Ａや裏ケース１Ｂからマイクロフォン１０への振動伝達率の低減が図られている。
【００６５】
また、マイクホルダ１１を、導電性を有するスポンジ材料から形成するとともに、マイクホルダ１１がリード線１０ｃをも包囲し、且つ、そのマイクホルダ１１が、接地された金属製のマイクケース１０ａに直接触れるような構成としているから、マイクホルダ１１を電気的なシールドとして機能させることができ、マイクロフォン１０の出力に重畳される雑音のレベルを有効に低減できるという利点がある。
【００６６】
さらに、本実施の形態では、正面開口部２、背面開口部３、円筒状部４、５等のマイクロフォン１０を収容する空間を形成する部材、表ケース１Ａと裏ケース１Ｂの上側部１ｃの外形等を、Ｏ軸を中心とした軸対称に配置・構成しているため、その空間の音響特性の作り込みが容易であり、指向性パターンを理想的な単一指向性に近づける上で極めて有利である。
【００６７】
また、本実施の形態のように風防シート１２を設けると、人の息等に含まれる湿気がマイクロフォン１０に直接入り込むことを防止できる。このため、正面開口部２とマイクロフォン１０との間の距離を短くすることができ、マイクロフォン１０の感度を向上する上でも有利である。ただし、マイクロフォン１０自体の電気回路部は、静電気等による誤作動や破壊防止のため、正面開口部２や背面開口部３から１０ｍｍ程度奥側に位置させることが望ましい。
【００６８】
なお、上記実施の形態では、本発明に係るマイクロフォンの取付構造及びマイクホルダを、音声認識玩具１に適用した場合について説明したが、本発明の適用対象はこれに限定されるものではなく、単一指向性又は双指向性が要求されるマイクロフォンを備える装置であれば、本発明は当然に適用可能である。
【００６９】
また、上記実施の形態では、単一指向性が要求される音声認識玩具１に本発明を適用しているが、双指向性が要求される装置であっても本発明は勿論適用可能である。
【００７０】
【発明の効果】
以上説明したように、本発明に係るマイクロフォンの取付構造にあっては、マイクホルダをスポンジ材料から形成したため、マイクロフォンの正面に達した音の一部を、マイクホルダ内を通過させて、マイクロフォンの背面側に達することができ、単一指向性又は双指向性をより確実に達成でき、コスト的にも有利であるという効果がある。さらに、マイクホルダの外側にも音の通り道が形成されるから、マイクロフォンの単一指向性又は双指向性を達成する上で、有利になるという効果がある。
【００７１】
特に、請求項２〜４に係る発明であれば、マイクホルダを導電性を有するスポンジ材料から形成したため、マイクホルダを、マイクロフォンの電気的な出力信号に重畳されるノイズ対策のためのシールドとして利用することが可能になり、音声の認識精度を向上する上で有利になるという効果がある。
【００７２】
また、請求項５に係る発明によれば、風防シートを設けたため、機器ケースからマイクロフォンへの振動伝達率を低減でき、マイクロフォンの誤作動の可能性をさらに低減できるという効果がある。
【００７４】
そして、請求項７に係る発明であれば、単一指向性又は双指向性に優れた電子機器を提供できるという効果がある。
【図面の簡単な説明】
【図１】本発明の一実施の形態の全体構成を示す図である。
【図２】実施の形態の特徴部分を示す図であって、拡大図（ａ）、（ｃ）並びに断面図（ｂ）である。
【図３】実施の形態の特徴部分の分解斜視図である。
【符号の説明】
１        音声認識玩具
１Ａ      表ケース（機器ケース）
１Ｂ      裏ケース（機器ケース）
１ａ      中央部
１ｂ      台座部
１ｃ      上側部
２        正面開口部
２ａ      中心孔
２ｂ      周辺孔
２ｃ      スリット
３        背面開口部
４        円筒状部
４ａ      リブ部
４ｂ      凸部
５        円筒状部
５ａ      仕切り板
５ｂ      スリット
５ｃ      リブ部
６        中央孔
６ａ      凸部
７        スリット
８        円柱部
１０      マイクロフォン
１０ａ    マイクケース
１０ｂ    面布
１０ｃ    リード線
１１      マイクホルダ
１２      風防シート
１５      空間
１６      空間
２０      ラウドスピーカ
【図１】
0003747646.tif 000002
【図２】
0003747646.tif 000003
【図３】
0003747646.tif 000004